(57)【特許請求の範囲】
【請求項１】
流体を流動させ得る可撓性チューブが取り付けられる取付凹部を具備したステータと、
前記取付凹部内で回転駆動可能とされたロータと、
該ロータに形成され、当該取付凹部に取り付けられた可撓性チューブを径方向に圧縮しつつ当該ロータの回転に伴い長手方向にしごくことにより、当該可撓性チューブ内で流体を流動させるためのローラと、
を具備し、前記取付凹部に取り付けられた可撓性チューブが、前記ローラにてしごかれるしごき部と、該しごき部に向かって流体を流入させる入口部と、前記しごき部から流体を流出させる出口部とを有するローラポンプにおいて、
前記ステータは、前記入口部及び出口部が流体の流動方向に対してそれぞれ上方を向いた状態としつつ前記可撓性チューブを取り付け可能な取付部が形成され、且つ、前記ロータが水平軸を中心に回転駆動するように前記ステータが配設されるとともに、前記取付部は、前記可撓性チューブの入口部及び出口部がしごき部から遠ざかるに従い離間する方向に延設させるものとされ、当該可撓性チューブは、巻かれた状態となる方向に弾性力が付与されたものであることを特徴とするローラポンプ。
【請求項２】
前記取付部は、前記可撓性チューブの入口部及び出口部が水平面に対して略２０〜４０°傾斜して延設させるものであることを特徴とする請求項１記載のローラポンプ。
【請求項３】
前記取付部は、前記可撓性チューブの入口部又は出口部をそれぞれ外側へ徐々に屈曲させつつ案内して、しごき部から遠ざかるに従い離間する方向へ延設させるものであることを特徴とする請求項１記載のローラポンプ。
【請求項４】
流体を流動させ得る可撓性チューブが取り付けられる取付凹部を具備したステータと、
前記取付凹部内で回転駆動可能とされたロータと、
該ロータに形成され、当該取付凹部に取り付けられた可撓性チューブを径方向に圧縮しつつ当該ロータの回転に伴い長手方向にしごくことにより、当該可撓性チューブ内で流体を流動させるためのローラと、
を具備し、前記取付凹部に取り付けられた可撓性チューブが、前記ローラにてしごかれるしごき部と、該しごき部に向かって流体を流入させる入口部と、前記しごき部から流体を流出させる出口部とを有するローラポンプを備えた血液浄化装置において、
前記ローラポンプは、そのステータが、前記入口部及び出口部が流体の流動方向に対してそれぞれ上方を向いた状態としつつ前記可撓性チューブを取り付け可能な取付部が形成され、且つ、前記ロータが水平軸を中心に回転駆動するように前記ステータが配設されるとともに、前記取付部は、前記可撓性チューブの入口部及び出口部がしごき部から遠ざかるに従い離間する方向に延設させるものとされ、当該可撓性チューブは、巻かれた状態となる方向に弾性力が付与されたものであることを特徴とするローラポンプを備えた血液浄化装置。
【発明の詳細な説明】
【技術分野】
【０００１】
本発明は、流体を流動させ得る可撓性チューブを径方向に圧縮しつつ長手方向にしごくことにより、当該可撓性チューブ内で流体を流動させるためのローラポンプ及びローラポンプを備えた血液浄化装置に関するものである。
【背景技術】
【０００２】
一般に、透析治療においては、患者の血液を体外循環させるべく可撓性チューブから成る血液回路が使用されている。この血液回路は、患者から血液を採取する動脈側穿刺針が先端に取り付けられた動脈側血液回路と、患者に血液を戻す静脈側穿刺針が先端に取り付けられた静脈側血液回路とから主に成り、これら動脈側血液回路と静脈側血液回路との間にダイアライザを介在させ、体外循環する血液の浄化を行っている。
【０００３】
動脈側血液回路の一部には、他より軟質且つ太径な可撓性チューブが接続されており、かかる部位が、透析装置に配設されたしごき型の血液ポンプ（ローラポンプ）に取り付けられるよう構成されている。この従来の血液ポンプは、図１３及び図１４に示すように、可撓性チューブＣを取付可能な取付凹部１００ａを有したステータ１００と、取付凹部１００ａに取り付けられた可撓性チューブＣを挟持し得るクランプ手段１０１と、モータＭの駆動力で取付凹部１００ａ内で回転駆動（水平軸に対して回転）可能とされたロータ１０２と、該ロータ１０２に形成されて可撓性チューブＣを圧縮しつつロータ１０２の回転に伴って長手方向にしごくローラ１０３とから主に構成されている。
【０００４】
尚、取付凹部１００ａに取り付けられた可撓性チューブＣは、ローラ１０３にてしごかれるしごき部Ｃ１（中央部）と、該しごき部Ｃ１に向かって流体を流入させる入口部Ｃ２（下部）と、しごき部Ｃ１から流体を流出させる出口部Ｃ３（上部）とを有しており、先端Ｃａ、Ｃｂのそれぞれに血液回路を構成する他の可撓性チューブが接続されるようになっている（図１３及び図１４と同一形状の血液ポンプについて開示する先行技術文献はないが、類似した形状のものが例えば特許文献１等で開示されている）。
【特許文献１】特開平０６−１５４３１０号公報
【発明の開示】
【発明が解決しようとする課題】
【０００５】
しかしながら、上記従来の血液ポンプ（ローラポンプ）においては、例えばプライミング時に生理食塩水等のプライミング液を血液回路内で充填させるべく駆動させて当該プライミング液を流動させた際、特に可撓性チューブの入口部Ｃ２及び出口部Ｃ３でエアが滞留し易いという不具合があった。エアが滞留してしまうと、そのエアを抜くための作業者による作業が別途必要となるため、プライミング時の作業性が悪化してしまうとともに、プライミング工程から治療工程までの自動化を図るのが困難となってしまう。
【０００６】
本発明は、このような事情に鑑みてなされたもので、可撓性チューブの入口部及び出口部においてエアが滞留してしまうのを抑制することにより、プライミング時の作業性を向上させ、プライミング工程から治療工程までの自動化を容易に図ることができるローラポンプ及びローラポンプを備えた血液浄化装置を提供することにある。
【課題を解決するための手段】
【０００７】
請求項１記載の発明は、流体を流動させ得る可撓性チューブが取り付けられる取付凹部を具備したステータと、前記取付凹部内で回転駆動可能とされたロータと、該ロータに形成され、当該取付凹部に取り付けられた可撓性チューブを径方向に圧縮しつつ当該ロータの回転に伴い長手方向にしごくことにより、当該可撓性チューブ内で流体を流動させるためのローラとを具備し、前記取付凹部に取り付けられた可撓性チューブが、前記ローラにてしごかれるしごき部と、該しごき部に向かって流体を流入させる入口部と、前記しごき部から流体を流出させる出口部とを有するローラポンプにおいて、前記ステータは、前記入口部及び出口部が流体の流動方向に対してそれぞれ上方を向いた状態としつつ前記可撓性チューブを取り付け可能な取付部が形成され、且つ、前記ロータが水平軸を中心に回転駆動するように前記ステータが配設されるとともに、前記取付部は、前記可撓性チューブの入口部及び出口部がしごき部から遠ざかるに従い離間する方向に延設させるものとされ、当該可撓性チューブは、巻かれた状態となる方向に弾性力が付与されたものであることを特徴とする。
【００１０】
請求項２記載の発明は、請求項１記載のローラポンプにおいて、前記取付部は、前記可撓性チューブの入口部及び出口部が水平面に対して略２０〜４０°傾斜して延設させるものであることを特徴とする。
【００１１】
請求項３記載の発明は、請求項１記載のローラポンプにおいて、前記取付部は、前記可撓性チューブの入口部又は出口部をそれぞれ外側へ徐々に屈曲させつつ案内して、しごき部から遠ざかるに従い離間する方向へ延設させるものであることを特徴とする。
【００１２】
請求項４記載の発明は、流体を流動させ得る可撓性チューブが取り付けられる取付凹部を具備したステータと、前記取付凹部内で回転駆動可能とされたロータと、該ロータに形成され、当該取付凹部に取り付けられた可撓性チューブを径方向に圧縮しつつ当該ロータの回転に伴い長手方向にしごくことにより、当該可撓性チューブ内で流体を流動させるためのローラとを具備し、前記取付凹部に取り付けられた可撓性チューブが、前記ローラにてしごかれるしごき部と、該しごき部に向かって流体を流入させる入口部と、前記しごき部から流体を流出させる出口部とを有するローラポンプを備えた血液浄化装置において、前記ローラポンプは、そのステータが、前記入口部及び出口部が流体の流動方向に対してそれぞれ上方を向いた状態としつつ前記可撓性チューブを取り付け可能な取付部が形成され、且つ、前記ロータが水平軸を中心に回転駆動するように前記ステータが配設されるとともに、前記取付部は、前記可撓性チューブの入口部及び出口部がしごき部から遠ざかるに従い離間する方向に延設させるものとされ、当該可撓性チューブは、巻かれた状態となる方向に弾性力が付与されたものであることを特徴とする。
【発明の効果】
【００１３】
請求項１、４の発明によれば、ステータは、入口部及び出口部が流体の流動方向に対してそれぞれ上方を向いた状態としつつ可撓性チューブを取り付け可能な取付部が形成されたので、可撓性チューブの入口部及び出口部においてエアが滞留してしまうのを抑制することにより、プライミング時の作業性を向上させ、プライミング工程から治療工程までの自動化を容易に図ることができる。
【００１４】
また、ロータが水平軸を中心に回転駆動するようにステータが配設されるとともに、取付部は、可撓性チューブの入口部及び出口部がしごき部から遠ざかるに従い離間する方向に延設させるものであるので、可撓性チューブの入口部及び出口部においてエアが滞留してしまうのを抑制することができ、且つ、ロータのメンテナンスやローラの調整作業等を容易に行わせることができる。
【００１５】
即ち、取付部により、可撓性チューブの入口部及び出口部がしごき部から遠ざかるに従い離間する方向に延設した状態となるので、当該入口部と出口部との間の離間寸法を従来より広くとることができ、その広くなった離間部からロータやローラに対して工具等を挿通させることにより調整作業等を容易に行うことができるのである。
【００１６】
さらに、可撓性チューブは、巻かれた状態となる方向に弾性力が付与されたものであるので、可撓性チューブを取付凹部に取り付けた際、その入口部と出口部とが巻かれた状態へ戻ろうと内側に向かって弾性力が働き、その弾性力により当該入口部と出口部とが取付部に固く取り付けられる。
【００１７】
従って、従来の如きクランプ手段が不要となり、構成を簡素化し且つ部品点数を削減することができる。また、クランプ手段が不要となるため、従来の如く当該クランプ手段の形成位置まで入口部及び出口部を延設させる必要がなくなる。故に、取付凹部に取り付けるべき可撓性チューブの長さを短くすることができ、当該可撓性チューブの原材料の低減および当該可撓性チューブの充填容量（プライミングボリューム）を低減させることができる。
【００１８】
請求項２の発明によれば、取付部は、可撓性チューブの入口部及び出口部が水平面に対して略２０〜４０°傾斜して延設させるものであるので、当該入口部及び出口部においてエアが滞留してしまうのをより確実に抑制することができる。
【００１９】
請求項３の発明によれば、取付部は、可撓性チューブの入口部又は出口部をそれぞれ外側へ徐々に屈曲させつつ案内して、しごき部から遠ざかるに従い離間する方向へ延設させるものであるので、可撓性チューブの入口部又は出口部を負荷のない自然な状態で延設させることができ、当該可撓性チューブが不自然に折れ曲がったりしてしまうのを回避することができる。
【発明を実施するための最良の形態】
【００２０】
以下、本発明の実施形態について図面を参照しながら具体的に説明する。
本実施形態に係るローラポンプは、血液透析装置において、血液を体外循環させるための血液回路の一部を構成する可撓性チューブを径方向に圧縮しつつ長手方向にしごく（扱く）ことにより、当該血液回路内で血液（プライミング時のプライミング液等、他の流体も同様）を流動させる血液ポンプに適用されたものである。以下、本血液ポンプが適用される血液透析装置（血液回路含む）について説明する。
【００２１】
血液透析装置は、図１に示すように、ダイアライザ２が接続された血液回路１、及びダイアライザ２に透析液を供給しつつ除水する透析装置本体５から主に構成されている。血液回路１は、同図に示すように、可撓性チューブから成る動脈側血液回路１ａ及び静脈側血液回路１ｂから主に構成されており、これら動脈側血液回路１ａと静脈側血液回路１ｂの間にダイアライザ２が接続されている。
【００２２】
ダイアライザ２は、微小孔（ポア）が形成された複数の中空糸を筐体部に収容して成るものであり、その筐体部に、血液導入ポート２ａ、血液導出ポート２ｂ、透析液導入ポート２ｃ及び透析液導出ポート２ｄが形成されており、このうち血液導入ポート２ａには動脈側血液回路１ａの基端が、血液導出ポート２ｂには静脈側血液回路１ｂの基端がそれぞれ接続されている。また、透析液導入ポート２ｃ及び透析液導出ポート２ｄは、透析装置本体５から延設された透析液導入ラインＬ１及び透析液排出ラインＬ２とそれぞれ接続されている。
【００２３】
動脈側血液回路１ａには、その先端に動脈側穿刺針ａが接続されているとともに、途中にしごき型の血液ポンプ３（ローラポンプ）が配設される一方、静脈側血液回路１ｂには、その先端に静脈側穿刺針ｂが接続されているとともに、途中に除泡用のエアトラップチャンバ４が接続されている。そして、動脈側穿刺針ａ及び静脈側穿刺針ｂを患者に穿刺した状態で、血液ポンプ３を駆動させると、患者の血液は、動脈側血液回路１ａを通ってダイアライザ２に至り、該ダイアライザ２によって血液浄化が施された後、エアトラップチャンバ４で除泡がなされつつ静脈側血液回路１ｂを通って患者の体内に戻る。即ち、患者の血液を血液回路１にて体外循環させつつダイアライザ２にて浄化するのである。
【００２４】
また、動脈側血液回路１ａの途中には、生食導入ラインＬ３が接続されており、当該生食導入ラインＬ３の先端には、生理食塩水を収容した生食バッグ６が接続されている。生食導入ラインＬ３は、通常は、クランプ手段（不図示）によりクランプされて流路が閉塞されているが、プライミングや補液、血液回収時において、当該クランプ手段を開放することにより、生食バッグ６内の生理食塩水が血液回路１内に導入されるようになっている。
【００２５】
一方、動脈側血液回路１ａの一部には、図２に示すように、他より軟質且つ太径な可撓性チューブＣが接続されており、当該可撓性チューブＣが、透析装置本体５に配設された血液ポンプ３に取り付けられるよう構成されている。尚、同図中符号Ｃａ、Ｃｂは、可撓性チューブＣの両端に固定された接続部を示しており、当該接続部Ｃａ、Ｃｂに動脈側血液回路１ａを構成する可撓性チューブＣがそれぞれ接続されるようになっている。
【００２６】
ここで、本実施形態に係る血液ポンプ３は、図３、４に示すように、ステータ７と、モータＭの駆動により回転駆動可能なロータ８と、該ロータ８に形成された一対のローラ９と、ステータ７に溝状に形成された取付部１０ａ、１０ｂとを有しており、ロータ８の回転軸Ｌ１が水平軸（床面に対し水平方向に延びた仮想軸）となるようステータ７が配設されている。即ち、ステータ７の上面７ｃが上方を向き、下面７ｄが下方を向いた状態で血液ポンプ３が取り付けられているのである。
【００２７】
ステータ７は、可撓性チューブＣが取り付けられる取付凹部７ａが形成されたもので、当該取付凹部７ａを形成する内周壁面に沿って可撓性チューブＣが取り付けられるよう構成されている。取付凹部７ａの略中央には、モータＭにより回転軸Ｌ１を中心として回転駆動可能なロータ８が配設されている。かかるロータ８の側面（取付凹部７ａの内周壁面と対向する面）には、一対のローラ９が配設されている。
【００２８】
図中符号８ａは、ロータ８の上端側及び下端側から取付凹部７ａの内周壁面に向かって突出形成されたピン状部材から成るガイドピンを示しており、当該ガイドピン８ａの間に可撓性チューブＣが保持されることとなる。即ち、ロータ８の回転駆動時、上下のガイドピン８ａにより可撓性チューブＣを正規の位置に保持させるとともに、取付凹部７ａから離脱しないようになっているのである。尚、ステータ７には、図示しないカバーが開閉自在に取り付けられている。
【００２９】
ローラ９は、取付凹部７ａに取り付けられた可撓性チューブＣを径方向に圧縮しつつ当該ロータ８の回転に伴い長手方向（血液の流動方向）にしごくことにより、血液回路１内で血液を流動させ得るものである。即ち、取付凹部７ａ内に可撓性チューブＣを取り付けてロータ８を回転駆動させると、ローラ９と取付凹部７ａの内周壁面との間で当該可撓性チューブＣが圧縮されるとともに、ロータ８の回転駆動に伴ってその回転方向（長手方向）にしごき得るのである。かかるしごき作用により、血液回路１内の血液がロータ８の回転方向に流動することとなるので、当該血液回路１内で患者の血液を体外循環させることが可能とされている。
【００３０】
而して、取付凹部７ａに取り付けられた可撓性チューブＣは、図５、６に示すように、ローラ９にてしごかれるしごき部Ｃ１と、該しごき部Ｃ１に向かって流体を流入させる入口部Ｃ２と、しごき部Ｃ１から流体を流出させる出口部Ｃ３との３つの部位を有しており、このうちしごき部Ｃ１が、既述のように、取付凹部７ａの内周壁面に沿って配設されるとともに、入口部Ｃ２及び出口部Ｃ３は、ステータ７に形成された取付部１０ａ、１０ｂにそれぞれ取り付けられるようになっている。
【００３１】
取付部１０ａ、１０ｂは、入口部Ｃ２及び出口部Ｃ３が流体の流動方向に対してそれぞれ上方を向いた状態（流体の流通方向に対し水平面より上方に傾いた状態）としつつ可撓性チューブＣを取り付け可能な部位である。より具体的には、取付部１０ａ、１０ｂは、ステータ７の取付凹部７ａ周縁部から上面７ｃ、下面７ｄまで延び、当該上面７ｃ及び下面７ｄで取付凹部７ａを臨ませつつ開口した溝形状から成る。
【００３２】
而して、その溝形状（取付部１０ａ、１０ｂ）に可撓性チューブＣの入口部Ｃ２及び出口部Ｃ３を沿わせて取り付ければ、当該入口部Ｃ２がしごき部Ｃ１側に向かって（同図中右側へ向かって）上り傾斜状態とされ、且つ、出口部Ｃ３がしごき部Ｃ１側に向かって（同図中右側へ向かって）下り傾斜状態とされるようになっている。言い換えれば、取付部１０ａ、１０により、入口部Ｃ２及び出口部Ｃ３が流体の流動方向に対してそれぞれ上方を向いた状態となって取り付けられるのである。
【００３３】
更に、取付部１０ａ、１０ｂは、上記の如き構成である故、可撓性チューブＣの入口部Ｃ２及び出口部Ｃ３がしごき部Ｃ１から遠ざかるに従い（図５中左方向に向かうに従い）離間する方向（略ハの字）に延設させるものである。ここで、ステータ７における側面（従来のクランプ手段が形成されていた位置）には、取付凹部７ａを臨ませた切欠部７ｂが形成されており、当該切欠部７ｂが互いに離間する入口部Ｃ２及び出口部Ｃ３の間に位置している。
【００３４】
尚、取付部１０ａ、１０ｂには、それぞれ入口部Ｃ２及び出口部Ｃ３の外径より若干狭い寸法の挟持部１０ａａ、１０ｂａが形成されており、当該挟持部１０ａａ、１０ｂａに当該入口部Ｃ２及び出口部Ｃ３を嵌め込んで挟持させて、血液ポンプ３の駆動時に可撓性チューブＣがずれないよう構成されている。勿論、かかる挟持部１０ａａ、１０ｂａを形成しないものとしてもよい。
【００３５】
上記実施形態によれば、例えば治療前（穿刺針ａ、ｂを患者に穿刺する前）のプライミングおいて、血液ポンプ３を駆動させて生食バッグ６から血液回路１内に生理食塩水（プライミング液）を導入する際、可撓性チューブＣの入口部Ｃ２及び出口部Ｃ３が流体（生理食塩水）の流動方向に対してそれぞれ上方を向いた状態としつつ取付部１０ａ、１０ｂにて取り付けられているので、可撓性チューブＣの入口部Ｃ２及び出口部Ｃ３においてエア（気泡）が滞留してしまうのを抑制することにより、プライミング時の作業性を向上させ、プライミング工程から治療工程までの自動化を容易に図ることができる。
【００３６】
また、ロータ８が水平軸（床面に対し水平な回転軸Ｌ１）を中心に回転駆動するようにステータ７が配設されるとともに、取付部１０ａ、１０ｂは、可撓性チューブＣの入口部Ｃ２及び出口部Ｃ３がしごき部Ｃ１から遠ざかるに従い離間する方向に延設させるものであるので、上述の如く可撓性チューブＣの入口部Ｃ２及び出口部Ｃ３においてエアが滞留してしまうのを抑制することができ、且つ、ロータ８のメンテナンスやローラ９の調整作業等を容易に行わせることができる。
【００３７】
即ち、取付部１０ａ、１０ｂにより、可撓性チューブＣの入口部Ｃ２及び出口部Ｃ３がしごき部Ｃ１から遠ざかるに従い離間する方向に延設した状態となるので、当該入口部Ｃ２と出口部Ｃ３との間の離間寸法を従来より広くとることができ、図７に示すように、その広くなった離間部に形成された切欠部７ｂからロータ８やローラ９に対して工具Ｔ等を挿通させることにより調整作業（例えば、ローラ９の位置調整による吐出圧調整作業）等を容易に行うことができるのである。
【００３８】
更に、適用される可撓性チューブＣは、図８に示すように、巻かれた状態となる方向（図中矢印で示す方向）に弾性力が付与されたものであるのが好ましい。通常、可撓性チューブＣは、巻かれた状態で運搬及び保管されることが多いため、所謂「巻きぐせ」（巻かれた状態となる方向に弾性力が付与された状態）を有している。このような可撓性チューブＣを用いれば、当該可撓性チューブＣを取付凹部７ａに取り付けた際、その入口部Ｃ２と出口部Ｃ３とが巻かれた状態へ戻ろうと内側に向かって（即ち、互いに近接する方向に）弾性力が働き、その弾性力により当該入口部Ｃ２と出口部Ｃ３とがそれぞれ取付部１０ａ、１０ｂの内周壁面に押圧されて固く取り付けられる。
【００３９】
従って、従来の如きクランプ手段（図１３及び図１４の符号１０１参照）が不要となり、構成を簡素化し且つ部品点数を削減することができる。また、クランプ手段が不要となるため、従来の如く当該クランプ手段の形成位置まで入口部Ｃ２及び出口部Ｃ３を延設させる必要がなくなる。故に、取付凹部７ａに取り付けるべき可撓性チューブＣの長さを短くすることができ、当該可撓性チューブＣの原材料の低減および当該可撓性チューブＣの充填容量（プライミングボリューム）を低減させることができる。
【００４０】
また更に、取付部１０ａ、１０ｂは、可撓性チューブＣの入口部Ｃ２及び出口部Ｃ３が水平面に対して略１０〜６０°傾斜して延設させるものであるのが好ましく、２０〜４０°傾斜して延設させるものであるのが更に好ましい。然るに、可撓性チューブＣの入口部Ｃ２及び出口部Ｃ３が水平面に対して略２０〜４０°傾斜して延設させれば、当該入口部Ｃ２及び出口部Ｃ３においてエアが滞留してしまうのをより確実に抑制することができる。
【００４１】
ここで、上記取付部１０ａに代え、図９、１０に示すように、可撓性チューブＣの入口部Ｃ２を外側（同図中下側）へ徐々に屈曲させつつ案内する案内部１１を設けた取付部１０ａ’とし、しごき部Ｃ１から遠ざかるに従い入口部Ｃ２と出口部Ｃ３とが離間する方向へ延設させるようにしてもよい。これにより、可撓性チューブＣの入口部Ｃ２を負荷のない自然な状態で延設させることができ、当該可撓性チューブＣが不自然に折れ曲がったりしてしまうのを回避することができる。尚、上記取付部１０ｂ側も案内部１１を設け、可撓性チューブＣの出口部Ｃ３を外側（同図中上側）へ徐々に屈曲させつつ案内するよう構成してもよい。
【００４２】
尚、上述の如く、適用される可撓性チューブＣが、図８に示すように、巻かれた状態となる方向（図中矢印で示す方向）に弾性力が付与されたものである場合、弾性力により変位しようとする入口部Ｃ２（又は出口部Ｃ３）が案内部１１に沿って当接するため、当該可撓性チューブＣが例えばＶ字状に不自然に折れ曲がったりしてしまうのをより確実に回避することができる。
【００４３】
以上、本実施形態について説明したが、本発明はこれらに限定されず、例えば図１１、１２に示すように、ロータ８の回転軸Ｌ２が垂直軸（床面に対し鉛直方向に延びた仮想軸）となるようステータ７が配設された血液ポンプ３’であってもよく、この場合、ステータ７の正面７ｅが上方を向いた状態で血液ポンプ３’が取り付けられることとなる。
【００４４】
また、ロータ８の回転軸Ｌ２が垂直軸となるようステータ７が配設されたものにおいては、上記取付部１０ａ、１０ｂに代えて、取付部１２ａ、１２ｂとする。かかる取付部１２ａ、１２ｂは、入口部Ｃ２及び出口部Ｃ３が流体の流動方向に対してそれぞれ上方を向いた状態（流体の流通方向に対し水平面より上方に傾いた状態）としつつ可撓性チューブＣを取り付け可能な部位であり、より具体的には、ステータ７の取付凹部７ａ周縁部から一側面まで延び、当該側面で取付凹部７ａを臨ませつつ開口した溝形状から成る。
【００４５】
而して、その溝形状（取付部１２ａ、１２ｂ）に可撓性チューブＣの入口部Ｃ２及び出口部Ｃ３を沿わせて取り付ければ、当該入口部Ｃ２がしごき部Ｃ１側に向かって上り傾斜状態とされ、且つ、出口部Ｃ３がしごき部Ｃ１側に向かって下り傾斜状態とされるようになっている。言い換えれば、取付部１２ａ、１２により、入口部Ｃ２及び出口部Ｃ３が流体の流動方向に対してそれぞれ上方を向いた状態となって取り付けられるのである。
【００４６】
上記の如き血液ポンプ３’によっても、上記血液ポンプ３と同様、例えば治療前（穿刺針ａ、ｂを患者に穿刺する前）のプライミングおいて、血液ポンプ３’を駆動させて生食バッグ６から血液回路１内に生理食塩水（プライミング液）を導入する際、可撓性チューブＣの入口部Ｃ２及び出口部Ｃ３が流体（生理食塩水）の流動方向に対してそれぞれ上方を向いた状態としつつ取付部１２ａ、１２ｂにて取り付けられているので、可撓性チューブＣの入口部Ｃ２及び出口部Ｃ３においてエア（気泡）が滞留してしまうのを抑制することにより、プライミング時の作業性を向上させ、プライミング工程から治療工程までの自動化を容易に図ることができる。
【００４７】
更に、本実施形態においては、血液透析治療を行う透析装置に適用されているが、患者の血液を体外循環させ得るための血液回路におけるしごき型のローラポンプを具備したものであれば、他の治療のもの（血液浄化装置）にも適用することができる。尚、血液ポンプに限らず、他の形態の種々ローラポンプに適用することができ、例えば、多用途透析装置に用いられる補液ポンプ等が挙げられる。
【産業上の利用可能性】
【００４８】
入口部及び出口部が流体の流動方向に対してそれぞれ上方を向いた状態としつつ可撓性チューブを取り付け可能な取付部が形成され、且つ、ロータが水平軸を中心に回転駆動するようにステータが配設されるとともに、取付部は、可撓性チューブの入口部及び出口部がしごき部から遠ざかるに従い離間する方向に延設させるものとされ、当該可撓性チューブは、巻かれた状態となる方向に弾性力が付与されたものであるステータを具備したローラポンプ、或いは当該ローラポンプを備えた血液浄化装置であれば、外観形状が異なるもの或いは他の機能が付加されたもの等にも適用することができる。
【図面の簡単な説明】
【００４９】
【図１】本発明のローラポンプが適用される透析装置を示す模式図
【図２】同ローラポンプに取り付けられる可撓性チューブを示す拡大模式図
【図３】同ローラポンプを示す側面図及び正面図
【図４】同ローラポンプを示す斜視図
【図５】同ローラポンプ（可撓性チューブを取り付けた状態）を示す側面図及び正面図
【図６】同ローラポンプ（可撓性チューブを取り付けた状態）を示す斜視図
【図７】同ローラポンプにおいて工具Ｔ等を挿通させて調整作業を行っている状態を示す模式図
【図８】同ローラポンプに取り付けられる可撓性チューブであって、巻かれた状態となる方向に弾性力が付与された状態のものを示す模式図
【図９】本発明の他の実施形態に係るローラポンプを示す正面図
【図１０】同他の実施形態に係るローラポンプ（可撓性チューブを取り付けた状態）を示す正面図
【図１１】本発明の更に他の実施形態に係るローラポンプを示す斜視図
【図１２】同更に他の実施形態に係るローラポンプ（可撓性チューブを取り付けた状態）を示す斜視図
【図１３】従来のローラポンプを示す斜視図
【図１４】従来のローラポンプ（可撓性チューブを取り付けた状態）を示す正面図
【符号の説明】
【００５０】
１    血液回路
１ａ  動脈側血液回路
１ｂ  静脈側血液回路
２    ダイアライザ
３    血液ポンプ（ローラポンプ）
４    エアトラップチャンバ
５    透析装置本体
６    生食バッグ
７    ステータ
８    ロータ
９    ローラ
１０ａ、１０ｂ  取付部
１１  案内部
１２ａ、１２ｂ  取付部
Ｃ    可撓性チューブ
Ｃ１  しごき部
Ｃ２  入口部
Ｃ３  出口部
Ｌ１  回転軸（水平軸）
Ｌ２  回転軸（垂直軸）
【図１】
0005241337.tif 000002
【図２】
0005241337.tif 000003
【図３】
0005241337.tif 000004
【図４】
0005241337.tif 000005
【図５】
0005241337.tif 000006
【図６】
0005241337.tif 000007
【図７】
0005241337.tif 000008
【図８】
0005241337.tif 000009
【図９】
0005241337.tif 000010
【図１０】
0005241337.tif 000011
【図１１】
0005241337.tif 000012
【図１２】
0005241337.tif 000013
【図１３】
0005241337.tif 000014
【図１４】
0005241337.tif 000015